【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
ハウジングと、
光線を発生させるための光源を有し、前記ハウジングより小さい走査エンジンと、
前記光源が発生した光線を前記ハウジング内の所定位置に導くための光学素子と、
前記ハウジング内に設けられた回転する第１のポリゴンミラー及び回転しない第２のポリゴンミラーと、
前記ハウジングに設けられ、前記走査エンジンを搭載する台座と、
前記第１のポリゴンミラーを回転駆動させる電磁ドライバと
を備え、
前記第１のポリゴンミラーは、前記走査エンジン内の前記光源が発生して前記光学素子によって導かれた光線を反射して前記第２のポリゴンミラーに向けて走査し、該第２のポリゴンミラーが該光線を反射して読み取るべきシンボルを走査することを特徴とする走査装置。
【請求項２】
請求項１に記載の走査装置において、前記走査エンジンが、
走査エンジンハウジングと、該走査エンジンハウジング内に配置された光源と、該走査エンジンハウジングの１面をなす回路基板とを含む走査装置。
【請求項３】
請求項２に記載の走査装置において、前記走査エンジンが、
前記光源によって発生された光を反射するための内部反射ミラーを有する走査装置。
【請求項４】
請求項２に記載の走査装置において、
前記台座が、前記走査エンジンと実質的に同じサイズである走査装置。
【請求項５】
請求項１に記載の走査装置において、
前記台座が、前記ハウジングに一体に形成され、前記走査エンジンを搭載する面が前記ハウジングの表面に対して鋭角をなしている走査装置。
【請求項６】
前記台座の前記走査エンジンを搭載する面が、前記ハウジングの表面に対して４５度をなしている請求項５に記載の走査装置。
【請求項７】
前記光学素子は、前記走査エンジン内の光源が発生した出射光線を前記第１のポリゴンミラーに向けて反射する部分と、シンボルからの反射光を集めて前記走査エンジン内のフォトセンサ上に集光させる残部とからなる反射ミラーを含む請求項１、５、６のいずれか一項に記載の走査装置。
【請求項８】
前記反射ミラーは、前記第２のポリゴンミラーに対して前記第１のポリゴンミラーと反対側に配置されている請求項７に記載の走査装置。
【請求項９】
前記走査エンジンは、前記ハウジングの周囲のサイズの半分未満の周囲を有する請求項１から８のいずれか一項に記載の走査装置。
【請求項１０】
前記光源がレーザダイオードである請求項１から９のいずれか一項に記載の走査装置。
【手続補正２】
【補正対象書類名】明細書
【補正対象項目名】全文
【補正方法】変更
【補正の内容】
【発明の詳細な説明】
【発明の名称】走査装置
【技術分野】
【０００１】
この発明は、小型走査エンジンを備えた走査装置に関する。
【背景技術】
【０００２】
バーコードのような特徴を識別するデータを有するシンボルを走査するために使用される走査装置が知られている。一般的に、走査装置の走査エンジンはハウジング内の殆どのスペースを占める回路基板を有している。多くの場合、たとえ設計者が別のハウジングを設計したくても、ハウジングは大きな回路基板及び他の部品を収容できるように設計しなければならない。図1に、そのような回路基板１０２がハウジング１０３に搭載された従来の配置例を示す。特に、その回路基板１０２の周囲１０４が実質的にそのハウジングと同じサイズである。
そのため、限られた寸法に制限された小型走査エンジンを得る必要がある。
【発明の開示】
【発明が解決しようとする課題】
【０００３】
この発明は、走査装置のハウジング内に配置されるように限られた寸法に制限された小型走査エンジンを備えた走査装置を提供することを目的とする。
この発明はさらに、多様な角度や向きに配置されるハウジングを持つ比較的小さな小型走査エンジンを備えた走査装置を提供することを目的とする。
【課題を解決するための手段】
【０００４】
この発明による走査装置は上記の目的を達成するため、ハウジングと、光線を発生させるための光源を有し上記ハウジングより小さい走査エンジンと、上記光源が発生した光線を上記ハウジング内の所定位置に導くための光学素子と、上記ハウジング内に設けられた回転する第１のポリゴンミラー及び回転しない第２のポリゴンミラーと、上記ハウジングに設けられ上記走査エンジンを搭載する台座と、上記第１のポリゴンミラーを回転駆動させる電磁ドライバとを備えている。
そして、上記第１のポリゴンミラーは、上記走査エンジン内の光源が発生して上記光学素子によって導かれた光線を反射して上記第２のポリゴンミラーに向けて走査し、その第２のポリゴンミラーが該光線を反射して読み取るべきシンボルを走査することを特徴とする。
また、上記走査エンジンが、走査エンジンハウジングと、その走査エンジンハウジング内に配置された光源と、その走査エンジンハウジングの１面をなす回路基板とを含むようにするとよい。
その走査エンジンが、上記光源によって発生された光を反射するための内部反射ミラーを有してもよい。
上記台座が、上記走査エンジンと実質的に同じサイズであるとよい。
また、上記台座が、上記ハウジングに一体に形成され、上記走査エンジンを搭載する面が上記ハウジングの表面に対して鋭角をなしているとよい。
その台座の上記走査エンジンを搭載する面が、上記ハウジングの表面に対して４５度をなしているのが好ましい。
上記光学素子は、上記走査エンジン内の光源が発生した出射光線を上記第１のポリゴンミラーに向けて反射する部分と、シンボルからの反射光を集めて上記走査エンジン内のフォトセンサ上に集光させる残部とからなる反射ミラーを含むとよい。
その反射ミラーは、上記第２のポリゴンミラーに対して上記第１のポリゴンミラーと反対側に配置することができる。
上記走査エンジンは、上記ハウジングの周囲のサイズの半分未満の周囲を有するとよい。上記光源はレーザダイオードであるとよい。
この発明は、光路の多様性に合うように配置される比較的小さな小型走査エンジン、及びハウジングの少なくとも1つの表面に対してある角度で配置される小型走査エンジンのように、限られた寸法に制限された小型走査エンジンを備えた走査装置を提供する。
この発明はまた、小型走査エンジンの種々の使用位置に対応できるように、走査光路に沿っていくつかのミラーを設置するための種々の条件のように限られた寸法に制限された小型の走査エンジンを備えた走査装置を提供する。
【０００５】
走査光線を発生させるための光源を有する小型の走査エンジンを備えた走査装置を提供する。その走査装置はまた、光を所定の光路へ導き、その光路からの光を受けるための反射ミラーも有している。この発明の実施例は、その光路がポリゴンミラーに到達できるように、小型の走査エンジンを適応させて取り付けられる台座を設けている。走査エンジン及びそのハウジング内に搭載されるものの寸法は、より小型なハウジング及び柔軟な設計を可能にする。
【発明を実施するための最良の形態】
【０００６】
以下、この発明の上記特徴を詳細に理解できるように、この発明を添付図面に示される実施例を参照してより具体的に説明する。
しかし、添付図面はこの発明の典型的な実施例を示すだけであり、その範囲の限定とみなすべきではなく、この発明は他の同等に有効な実施例があり得ることに留意されたい。
【０００７】
この発明は、走査ハウジング内で多様に配置される小型走査エンジンを備えた走査装置に関する。図２から図５を参照してこの発明の好ましい実施例を説明する。
【０００８】
この走査装置は、回路基板１２ａ及びその関連する光学部品を備えた光源（図示せず）を有する小型の走査エンジン１２を備えている。その走査エンジンは、任意に振動し得る内部走査ミラー、任意のデジタル処理部品、集光ミラー、および潜在的なその他の機能を含んでもよい。走査エンジン１２を含む全ての部品はプラスチック又は同様な材料で作られるハウジング３０内に搭載される。
【０００９】
光学素子である反射ミラー１４は、平らな部分１４ａを有する。その平らな部分１４ａは、走査エンジン１２内の光源によって発生した出射光線を反射して、ハウジング３０内の所定の位置（光路）に導くために利用される。反射ミラー１４の残部はシンボル（標的）によって反射される光を集光するのに利用できる。
【００１０】
走査エンジン１２内の光源からの出射光線は、反射ミラー１４の平らな部分１４ａで反射された後、図３に示される回転する第１のポリゴンミラー１５に向かう。その第１のポリゴンミラー１５は電磁ドライバ１８（図４）によって駆動される。その電磁ドライバ１８は、相互接続部材１０に固着されたブラケット２０に固着された非可動部を有する。ハウジング３０は、図４に示すネジ２４を受けるために配置された突部（図示せず）又はネジ孔２２のような受け要素を有している。その電磁ドライバ１８は一方向又は双方向に回転するドライバである。
【００１１】
そして、第１のポリゴンミラー１５によって反射された光線は、回転しない第２のポリゴンミラー１６によって反射された後、シンボルの走査のためにハウジング３０の外に導かれる。これは走査装置に対してシンボルの配置が固定されていないシンボルの走査のために多方向のパターンを生み出す。重要なことは、図５に最もよく示されたハウジング３０は、走査エンジン１２より極めて大きいことである。
【００１２】
走査されたシンボルから戻ってくる反射光は、図３に示す反射ミラー１４によって集められ、走査エンジン１２内にあるフォトセンサ上に集光される。
【００１３】
ハウジング３０の相互接続部材１０上に、走査エンジン１２が適切に位置決めされるための台座１０ａが形成されている。その台座１０ａは、走査エンジン１２を搭載する面１０ａ１がハウジング３０に対して角度を持って配置されるとよい。すなわち、走査エンジン１２は、そのコンパクトな性質によりハウジング３０のいずれかの表面に対して角度を有している。走査エンジンを構成する回路が、ハウジング自体と実質的に同じ大きさの回路基板に取り付けられる従来の走査エンジンとは異なり、この発明による走査装置の走査エンジン１２はハウジング３０より極めて小さい。その結果、走査エンジン１２は、ハウジング３０に対して多くの異なる角度や向きで配置され得る。
【００１４】
あるいは、その台座１０ａを省いて、走査エンジン１２をハウジング３０のいずれかの部分に直接取り付け、走査のために第１のポリゴンミラー１５へ光線を適切に送るように配置することもできる。
【００１５】
走査エンジン１２の周囲は、ハウジング３０の周囲と同じサイズである必要はない。走査エンジン１２及び／又はそれに関連する回路基板をハウジング３０の周囲に搭載する代わりに、走査エンジン１２は、ハウジング３０に一体に形成され、その表面に対してある角度（鋭角）をなす面１０ａ１を有する台座１０ａに搭載される。その台座１０ａの走査エンジン１２を搭載する面１０ａ１のハウジング３０の表面に対する好ましい角度はおよそ４５度であり、それが図５に最もよく示されている。
【００１６】
好ましい実施例においては、反射ミラー１４は、第２のポリゴンミラー１６に対して第１のポリゴンミラー１５と反対側に角度を持って配置されており、走査エンジン１２は、その反射ミラー１４が走査エンジン１２と第２のポリゴンミラー１６との間で光を前後に反射するための反射器としての役目を果すように位置決めされる。他の実施例は異なる光路を所望できる。そのため、台座１０ａは種々な角度でハウジング３０に成形することができる。
【００１７】
走査エンジン１２は、接着、ネジ止め、スナップ嵌合等により台座１０ａ上に取り付けられる。ハウジング３０はまた、反射ミラー１４のような他の任意の部品を取り付けるための台座を有してもよい。典型的には、走査エンジン１２はハウジング３０自体のサイズの１５％未満である。1つの好ましい実施例において、そのハウジング３０は走査用のポリゴンミラーに適応しなければならないが、その走査エンジン１２はそのサイズ要求によって制限されることはない。
【００１８】
この発明に使用される光源はレーザダイオードによるのが好ましいが、同様に他のタイプの光源であってもよい。さらに、その走査エンジンは、走査エンジンハウジングと、その走査エンジンハウジング内の光源、及びその走査エンジンハウジングの１面をなす回路基板を含んでもよい。さらに、その走査エンジンは、光源によって発生された光を反射するための内部反射ミラーもまた含んでもよい。
【００１９】
この発明の実施例について述べてきたが、この発明の他の更なる実施例を、発明の要旨を逸脱することなくなし得る。そして、この発明の範囲は、特許請求の範囲によって規定されるだけである。好ましい実施例におけるこの発明は、ハウジングの周囲のサイズの半分未満の周囲を有する走査エンジンを備えた走査装置を実現する。
【図面の簡単な説明】
【００２０】
【図１】従来の走査エンジンを備えた走査装置の図である。
【図２】この発明による走査装置の実施例の第１の斜視図である。
【図３】この発明による走査装置の実施例の第２の斜視図である。
【図４】この発明による走査装置の実施例の第３の斜視図である。
【図５】この発明の実施例によるハウジング上の走査エンジンの搭載例を示す斜視図である。
【符号の説明】
【００２１】
１０：相互接続部材      １０ａ：台座      １２：走査エンジン
１４：反射ミラー      １４ａ：平らな部分      １５：第１のポリゴンミラー
１６：第２のポリゴンミラー    １８：電磁ドライバ      ２０：ブラケット
３０：ハウジング
【手続補正３】
【補正対象書類名】図面
【補正対象項目名】図２
【補正方法】変更
【補正の内容】
【図２】
2009524116.tif 000001
【手続補正４】
【補正対象書類名】図面
【補正対象項目名】図３
【補正方法】変更
【補正の内容】
【図３】
2009524116.tif 000002
【手続補正５】
【補正対象書類名】図面
【補正対象項目名】図４
【補正方法】変更
【補正の内容】
【図４】
2009524116.tif 000003
【手続補正６】
【補正対象書類名】図面
【補正対象項目名】図５
【補正方法】変更
【補正の内容】
【図５】
2009524116.tif 000004